(57)【要約】【課題】本発明は、将来、間取り変更しても、横枝管を自由に配管できるようにした排水集合管を提供することを目的とする。【解決手段】上下に縦管接続部５，６を有する胴部７を備え、該胴部７に少なくとも３個の横枝管接続部９が、同一水平面内で且つ９０°の位相差をもって配置され、前記各横枝管接続部９は、内径７５ｍｍ以上の横枝管１１を接続可能とすものである排水集合管において、前記３個の横枝管接続部９の各々は、便器用横枝管１１ａ、台所用横枝管１１ｂ、及びその他の雑排水用横枝管１１ｃの接続部とされている。【選択図】      図１
2004150028.tif 000002
【特許請求の範囲】
【請求項１】
上下に縦管接続部を有する胴部を備え、該胴部に少なくとも３個の横枝管接続部が、同一水平面内で且つ９０°の位相差をもって配置され、前記各横枝管接続部は、内径７５ｍｍ以上の横枝管を接続可能とすものである排水集合管において、
前記３個の横枝管接続部の各々は、便器用横枝管、台所用横枝管、及びその他の雑排水用横枝管の接続部とされていることを特徴とする排水集合管。
【請求項２】
前記横枝管接続部は、横枝管が接続される接続口を有し、前記３個の各接続口は、同一方向を指向していることを特徴とする請求項１記載の排水集合管。
【請求項３】
前記横枝管接続部は、横枝管が接続される接続口を有し、前記３個の接続口の内、２個の接続口は同一方向を指向し、他の接続口はそれとは９０°異なる方向を指向していることを特徴とする請求項１記載の排水集合管。
【請求項４】
前記接続口は、前記胴部と一体成形されていることを特徴とする請求項２又は３記載の排水集合管。
【請求項５】
前記横枝管接続部の少なくとも１つに、点検口が設けられていることを特徴とする請求項１〜４の何れか一つに記載の排水集合管。
【請求項６】
前記３個の横枝管接続部の内、中央の横枝管接続部に対向した位置の胴部に点検口が設けられていることを特徴とする請求項１〜５の何れか一つに記載の排水集合管。
【発明の詳細な説明】
【０００１】
【発明の属する技術分野】
本発明は、中・高層集合住宅の生活排水設備に用いられる排水集合管に関する。
【０００２】
【従来の技術】
中・高層集合住宅の生活排水設備は、各住戸毎に、便器、浴槽、台所、洗濯機などの機器に接続された複数の横枝管を、排水集合管を介して一本の縦管に集めて排水するようにされている。
このような排水設備として、全ての横枝管を一つの排水ヘッダーに接続し、該排水ヘッダーを縦管に接続するものが、例えば、特開２００１−３０３６３７号公報、特開２００２−８１１１４号公報、特開２００２−１０６０１１号公報に開示されている。
【０００３】
大便器などに接続される汚水用横枝管と他の排水用横枝管とを区別して集合管に接続したものとして、例えば、特開２００２−１４６８７２号公報に記載のものが公知である。
なお、排水集合管に、横枝管内を清掃するための点検口を設けたものが、特開平１−１２１４１９号公報に記載されている。
また、排水集合管として、上下に縦管接続部を有する胴部を備え、該胴部に横枝管接続部の３個が、同一水平面内で且つ９０°の位相差をもって配置されたものが、例えば、特開平８−８５９８９号公報に開示されている。
【０００４】
【特許文献１】特開２００１−３０３６３７号公報
【特許文献２】特開２００２−８１１１４号公報
【特許文献３】特開２００２−１０６０１１号公報
【特許文献４】特開２００２−１４６８７２号公報
【特許文献５】特開平１−１２１４１９号公報
【特許文献６】特開平８−８５９８９号公報
【０００５】
【発明が解決しようとする課題】
前記従来の排水設備は、新築時の間取りや器具配置によって横枝管の配置が決定されている。床下スペースが限られているので、横枝管を交差状に配置することはできないので、前記従来の排水設備では、リニューアルの場合や、器具の配置換えをする場合、横枝管の配置を自由に変更するのが困難であった。
そこで、本発明は、将来、間取り変更しても、横枝管を自由に配管できるようにした排水集合管を提供することを目的とする。
【０００６】
【課題を解決するための手段】
前記目的を達成するため、本発明は次の手段を講じた。
即ち、本発明の特徴とするところは、上下に縦管接続部を有する胴部を備え、該胴部に少なくとも３個の横枝管接続部が、同一水平面内で且つ９０°の位相差をもって配置され、前記各横枝管接続部は、内径７５ｍｍ以上の横枝管を接続可能とすものである排水集合管において、前記３個の横枝管接続部の各々は、便器用横枝管、台所用横枝管、及びその他の雑排水用横枝管の接続部とされている点にある。
【０００７】
このように、少なくとも３個の横枝管接続部を、内径が７５ｍｍ以上の横枝管を接続可能とする大きさとしたので、何れの横枝管接続部にも、便器用の大径の横枝管を接続することが可能になる。従って、間取り替えなどにより便器の位置を変更しても、横枝管を交差させることなく配置換えすることができる。
前記横枝管接続部は、横枝管が接続される接続口を有し、前記３個の各接続口は、同一方向を指向しているのが好ましい。
または、前記横枝管接続部は、横枝管が接続される接続口を有し、前記３個の接続口の内、２個の接続口は同一方向を指向し、他の接続口はそれとは９０°異なる方向を指向しているのが好ましい。
【０００８】
前記接続口は、前記胴部と一体成形されているのが好ましい。
前記横枝管接続部の少なくとも１つに、点検口が設けられているのが好ましい。
前記３個の横枝管接続部の内、中央の横枝管接続部に対向した位置の胴部に点検口が設けられているのが好ましい。
【０００９】
【発明の実施の形態】
以下、本発明の実施の形態を、図面に基づき説明する。
図１〜３において示すものは、本発明の第１の実施の形態である。
図３に示す如く、高層集合住宅の各フロアーには、各住戸毎にパイプスペース１が設けられている。このパイプスペース１は、共用スペースである廊下側に設けられている。
図１、２に示す如く、前記パイプスペース１に排水集合管２と縦管３とが配置されている。排水集合管２は、各フロアーのスラブ４に保持され、上下に縦管接続部５、６を有する胴部７を備えている。上部の縦管接続部５は、縦管３の下部の差口を受け入れる受口に形成され、下部の縦管接続部６は、縦管３の上部の受口が挿入される差口に形成されている。
【００１０】
上部縦管接続部５の下部の胴部７は、径の大な大径部８とされている。この大径部８は、直交平面を有する箱形に形成されている。この大径部８に３個の横枝管接続部９が、同一水平面内で且つ９０°の位相差をもって配置されている。即ち、箱形直交３平面のそれぞれに、横枝管接続部９が設けられている。この大径部８の下方の胴部７は、下方に至るに従って径小となるテーパ部１０に形成され、該テーパ部１０の下端が前記下部縦管接続部６とされている。
前記横枝管接続部９は、その根本部が前記箱形直交３平面より一体的に突出成形されている。そして、横枝管接続部９の先端部は横枝管１１が差し込まれる受口とされた接続口１２に形成されている。そして、３個の接続口１２は、同一方向を指向している。即ち、中央の横枝管接続部９は、大径部８の平面に直交して突出成形され、その左右の横枝管接続部９は、根本から先端に至る間、９０度方向転換をするように屈曲成形されて、各接続口１２は同じ方向を向いている。
【００１１】
前記各横枝管接続部９は、内径７５ｍｍ以上の横枝管１１を接続可能とすものである。この実施の形態では、前記各接続口１２は、内径７５ｍｍの横枝管１１を接合できるものとされている。そして、各接続口１２に、便器用横枝管１１ａ、台所用横枝管１１ｂ、及びその他の雑排水用横枝管１１ｃが接続される。雑排水として、風呂、洗面器、洗濯機からの排水が例示される。
図３に示す如く、便器用横枝管１１ａは、大便器まで内径７５ｍｍの管が用いられる。台所用横枝管１１ｂは、内径７５ｍｍの管から、レジューサ１３を介して内径５０ｍｍの管が接続されている。雑排水用横枝管１１ｃは、内径７５ｍｍの管から、レジューサ１３を介して内径６５ｍｍの排水ヘッダー１４が接続され、該排水ヘッダー１４に内径５０ｍｍの管が接続されている。前記横枝管１１は、図２に示す如く、スラブ４と床１５の間に配管される。
【００１２】
なお、前記テーパ部１０の内面に径内方向に突出する旋回羽根１６が形成されている。この旋回羽根１６は、３個の横枝管接続部９の内の中央の横枝管接続部９が設けられている側の内周面に、一枚だけ設けられている。この旋回羽根１６は、外側面側からみると、図２に示すように、外周面が凹む凹部１７により形成されている。この旋回羽根１６は、流下する排水に旋回を付与し、縦管中心部に通気用の空気コアを形成させるものである。
前記の実施の形態によれば、３個の横枝管接続部９の全てが、管径の一番大きな便器用横枝管１１ａを接続可能としているので、リニューアル時の間取り変更や器具の配置換えを行っても、横枝管１１の配置変更が容易になる。
【００１３】
また、新築時においても、間取りが決定していない時でも、先行して排水集合管２の施工ができる。
このように、横枝管１１の配管が自由に行えるので、従来、立体交差のための床下スペースを広くとっていたが、床下空間（高さ）を従来より小さくできる。また、従来は、リニューアル時、立体交差を行わない場合は、迂回配管をしなければならなかったが、迂回配管の必要がなくなるので、迂回配管に比べ、横枝管１１の長さを短くできる。
【００１４】
また、便器、台所、雑排水が、それぞれ排水集合管２と１対１で接続するため、衛生上優れた配管が達成される。
図４に示すものは、前記実施の形態の変形例を示すものである。即ち、同図（ａ）は、前記第１の実施の形態を示す排水集合管２であり、同（ｂ）は、各横枝管接続部９に点検口１８を設けたものである。この点検口１８は、各横枝管接続部９の上面にねじ穴を設け、このねじ穴にプラグを螺合することで、点検口１８を開閉自在としたものである。この点検口１８より横枝管１１内の清掃を可能とする。この清掃方法は、前記従来技術に示したもの（特開平１−１２１４１９号公報参照）と同じである。
【００１５】
図４（ｃ）に示すものは、前記点検口１８を、前記３個の横枝管接続部９の内、中央の横枝管接続部９に対向した位置の胴部７の大径部８に設けたものである。この中央の横枝管接続部９は、台所用横枝管接続部１１ｂとされている。台所の横枝管１１ｂが最も汚れやすく、清掃を必要とするので、当該部分に点検口１８が設けられている。
同図（ｄ）に示すものは、中央の横枝管接続部９に対向した位置の大径部８に点検口１８を設けるとともに、その左右の横枝管接続部９の上面に点検口１８を設けたものである。
【００１６】
図４（ｅ）〜（ｊ）に示すものは、３個の接続口１２の内、２個の接続口１２は同一方向を指向し、他の接続口１２はそれとは９０°異なる方向を指向しているものである。そして、点検口１８がそれぞれ異なる位置に設けられている例が示されている。
図５は、前記図４（ｅ）の排水集合管２を用いた、横枝管接続例の一例を示すものである。
図６，７に示すものは、３個の横枝管接続部９が、胴部７に一体成形されたものではなく、これとは別体のエルボ１９を接続することにより、前記一体成形のものと同じ機能を奏するようにしたものである。即ち、大径部８の３平面に接続口１２が、９０度の位相差をもって開口し、この接続口１２の左右のものの両方又は一方に、エルボ１９が接続されている。
【００１７】
図８に示すものは、パイプスペース１が室内側に設けられたものであり、このような場合も、本発明は適用される。
なお、本発明は、前記実施の形態に示すものに限定されるものではなく、例えば、横枝管接続部９を周方向９０度間隔に４カ所設け、その内の一カ所は、将来の器具増設やリニューアルを考慮して、止水栓で封鎖しているものであってもよい。
【００１８】
【発明の効果】
本発明によれば、便器用横枝管を、３個の横枝管接続部の何れでも接続することができるので、間取り変更や機器の配置換えを行っても、横枝管の配管を自由に変更することができるものである。
【図面の簡単な説明】
【図１】図１は、本発明の第１の実施の形態を示す平面図である。
【図２】図２は、図１のＡ−Ａ線矢視断面図である。
【図３】図３は、横枝管の配置の一例を示す配管図である。
【図４】図４は、本発明の実施の形態を示す各種の排水集合管の平面図である。
【図５】図５は、本発明の他の実施の形態を示す平面図である。
【図６】図６は、本発明の他の実施の形態を示す平面図である。
【図７】図７は、本発明の他の実施の形態を示す平面図である。
【図８】図８は、本発明の他の実施の形態における横枝管の配置の一例を示す配管図である。
【符号の説明】
２  排水集合管
３  縦管
５  上部縦管接続部
６  下部縦管接続部
７  胴部
９  横枝管接続部
１１  横枝管
１２  接続口
１８  点検口
【図１】
2004150028.tif 000003
【図２】
2004150028.tif 000004
【図３】
2004150028.tif 000005
【図４】
2004150028.tif 000006
【図５】
2004150028.tif 000007
【図６】
2004150028.tif 000008
【図７】
2004150028.tif 000009
【図８】
2004150028.tif 000010